(57)【要約】      （修正有）【課題】画像表示装置の接続情報を入力する手間なく、ネットワーク上の画像表示装置へ接続可能な画像表示システムを提供する。【解決手段】ネットワークを介して通信可能な、画像表示装置を含む複数の端末を有する画像表示システムであって、ネットワーク上の画像表示装置への接続に用いる接続情報のリストを記憶する第１の記憶手段と、第１の記憶手段に記憶される接続情報のリストに含まれる接続情報の追加、更新、又は削除を行うことによって接続情報のリストを更新する更新手段と接続情報のリストを記憶している端末をネットワーク上から検索する検索手段と、検索手段によって、検出された端末から接続情報のリストを取得する取得手段とを有する。更新手段は、取得手段により取得した接続情報のリストにしたがって第１の記憶手段に記憶されている接続情報のリストを更新する。【選択図】図４
2015164031.tif 000002
【特許請求の範囲】
【請求項１】
複数の端末と、該複数の端末とネットワークを介して通信可能な画像表示装置とを有する画像表示システムであって、
ネットワーク上の画像表示装置への接続に用いる接続情報のリストを記憶する第１の記憶手段と、
前記第１の記憶手段に記憶される接続情報のリストに含まれる接続情報の追加、更新、又は削除を行うことによって接続情報のリストを更新する更新手段と、
接続情報のリストを記憶している前記端末をネットワーク上から検索する検索手段と、
前記検索手段によって検出された前記端末から接続情報のリストを取得する取得手段と
を有し、
前記更新手段は、前記取得手段により取得した接続情報のリストにしたがって前記第１の記憶手段に記憶されている接続情報のリストを更新する、画像表示システム。
【請求項２】
請求項１に記載の画像表示システムにおいて、
前記第１の記憶手段に記憶される接続情報のリストに含まれる接続情報を用いて、各接続情報が示す前記画像表示装置へ接続可能か否かを判断する判断手段
を有し、
前記更新手段は、前記判断手段により接続情報を用いて接続できない前記画像表示装置が存在する場合、当該画像表示装置の接続情報を接続情報のリストから削除する、画像表示システム。
【請求項３】
請求項２に記載の画像表示システムにおいて、
前記判断手段により接続情報を用いて接続できない前記画像表示装置が存在する場合、前記検索手段により検出された前記端末へ当該画像表示装置の接続情報の削除要求を行う削除要求手段
を有する、画像表示システム。
【請求項４】
請求項２に記載の画像表示システムにおいて、
接続情報は、前記画像表示装置を常に使用するか否かを示す情報を含み、
前記更新手段は、接続情報を用いて接続できない、かつ接続情報に常に使用すると設定されている前記画像表示装置を接続情報のリストから削除しない、画像表示システム。
【請求項５】
請求項１に記載の画像表示システムにおいて、
接続情報は、ネットワークのセグメントを示す情報を含み、
前記第１の記憶手段は、接続情報に含まれるネットワークのセグメントを示す情報にしたがって、ネットワークのセグメントごとに接続情報のリストを作成し、記憶する、画像表示システム。
【請求項６】
請求項５に記載の画像表示システムにおいて、
接続しているネットワークのセグメントと、接続情報に含まれるネットワークのセグメントとを比較し、接続しているネットワークのセグメントに属する前記画像表示装置の画像表示装置接続情報を前記検索手段により検出された前記端末へ送信する送信手段
を有する、画像表示システム。
【請求項７】
請求項１乃至６のいずれか一項に記載の画像表示システムにおいて、
接続可能な画像表示装置の機種情報及びソフトウエアバージョン情報を含む接続可能機種情報を記憶する第２の記憶手段を有し、
接続情報は、前記画像表示装置の機種情報及びソフトウエアバージョン情報を含み、
接続情報に含まれる前記画像表示装置の機種情報及びソフトウエアバージョン情報と、前記第２の記憶手段に記憶された前記接続可能機種情報に含まれる接続可能な画像表示装置の機種情報及びソフトウエアバージョン情報とを照合し、前記第２の記憶手段に記憶された前記接続可能機種情報と合致する前記接続情報のリストを表示させる、画像表示システム。
【請求項８】
請求項１乃至７のいずれか一項に記載の画像表示システムにおいて、
接続情報は、前記画像表示装置への接続回数を示す情報を含み、
前記更新手段は、接続情報に含まれる接続回数にしたがって、接続情報のリストを並べ替える、画像表示システム。
【請求項９】
請求項１乃至８のいずれか一項に記載の画像表示システムにおいて、
接続情報は、前記画像表示装置への最終接続日時を示す情報を含み、
前記更新手段は、前記接続情報に含まれる最終接続日時にしたがって、前記接続情報のリストを並べ替える、画像表示システム。
【請求項１０】
請求項１乃至９のいずれか一項に記載の画像表示システムにおいて、
複数の画像表示装置を有し、
前記第１の記憶手段に記憶した前記接続情報のリストに基づいて、前記複数の画像表示装置の各々と前記複数の端末の一の第1の端末とを接続する接続手段と、
前記接続手段によって接続した前記複数の前記画像表示装置の各々から、各画像表示装置で表示している画像の画像情報を取得する画像情報取得手段と、
該画像情報取得手段によって取得した各画像表示装置で表示している複数の画像を表示する表示手段と
を有し、
前記接続手段は、前記表示手段によって表示した前記複数の画像のうち、ユーザによって選択された選択画像に基づいて、該選択画像を表示している画像表示装置と前記第１の端末とを接続する、画像表示システム。
【請求項１１】
請求項１０に記載の画像表示システムにおいて、
前記取得手段は、前記各画像表示装置で表示している画像を送信している端末の識別情報、及び該端末の利用者を表す情報を取得し、
前記表示手段は、前記取得手段によって取得した前記端末の識別情報及び該端末の利用者を表す情報を表示する、画像表示システム。
【請求項１２】
請求項１０に記載の画像表示システムにおいて、
前記取得手段は、前記各画像表示装置で表示している画像が外部記憶装置に記憶されているものである場合には、該画像の画像情報ファイルの識別情報を取得し、
前記表示手段は、前記取得手段によって取得された前記画像情報のファイルの識別情報を表示する、画像表示システム。
【請求項１３】
請求項１０に記載の画像表示システムにおいて、
前記各画像表示装置について、表示している画像の画像情報の取得の可否を設定する設定手段
を有し、
前記取得手段は、前記複数の前記画像表示装置のうち、前記設定手段によって前記画像情報の取得が許可されている画像表示装置から、前記画像情報を取得する、画像表示システム。
【請求項１４】
請求項１０に記載の画像表示システムにおいて、
前記各画像表示装置で表示している画像について、画像情報の取得の可否を設定する設定手段
を有し、
前記取得手段は、前記設定手段によって前記画像情報の取得が許可されている画像情報を取得する、画像表示システム。
【請求項１５】
請求項１０に記載の画像表示システムにおいて、
前記各画像表示装置で表示している画像に対して画像加工を行う画像加工手段
を有し、
前記取得手段は、前記画像加工手段によって画像加工された画像の画像情報を取得する、画像表示システム。
【発明の詳細な説明】
【技術分野】
【０００１】
本発明は、画像表示システムに関する。
【背景技術】
【０００２】
ＰＣ（Personal Computer）等の情報処理装置で表示可能な画像を画像表示装置で表示する際、映像送信用ケーブルで情報処理装置と画像表示装置を接続し、情報処理装置から画像表示装置へ映像信号を送信する方法がある。また、ネットワーク環境が浸透した昨今では、情報処理装置で作成した画像データを、ネットワークを通して画像表示装置に送信し、画像表示装置側で受信した画像データを展開して表示することができる。
【０００３】
ＩＰ（Internet Protocol）アドレスを含む画像表示装置の接続情報と、画像表示装置が設置されている場所とを紐付けて管理している接続情報管理サーバから画像表示装置の接続情報を情報処理装置へ提供する技術が既に知られている（例えば、特許文献１を参照）。
【発明の概要】
【発明が解決しようとする課題】
【０００４】
ネットワーク上の画像表示装置へ接続を行うためには、ネットワーク上の画像表示装置のＩＰアドレスなどの接続情報をユーザが調べて情報処理装置に入力する手間が生じる。
【０００５】
一方、特許文献１に記載されている、画像表示装置の接続情報を接続管理サーバから取得し、画像表示装置との接続を行う従来の技術は、ユーザがＩＰアドレスなどの接続情報を直接入力することなく、画像表示装置への接続を容易に行うことができる。
【０００６】
しかしながら、ネットワーク上の画像表示装置の接続情報もしくは画像表示装置の設置場所が変更された場合、接続情報管理サーバにて画像表示装置の接続情報を変更する手間が生じる。
【０００７】
また、複数の画像表示装置が設置されている環境において、ネットワークを介して、複数の画像表示装置のうち、適切な画像表示装置に情報処理装置を接続するのは難しい。また、情報処理装置が複数の画像表示装置のうちどの画像表示装置と接続されているのかを識別するのも難しい。
【０００８】
本発明は、上記の従来の問題点に鑑み提案されたものであり、ネットワーク上の画像表示装置へ接続する際の手間を低減することが可能な画像表示システムを提供することにある。
【課題を解決するための手段】
【０００９】
本発明のある態様によると、ネットワークを介して通信可能な、画像表示装置を含む複数の端末を有する画像表示システムであって、ネットワーク上の画像表示装置への接続に用いる接続情報のリストを記憶する第１の記憶手段と、前記第１の記憶手段に記憶される接続情報のリストに含まれる接続情報の追加、更新、又は削除を行うことによって接続情報のリストを更新する更新手段と接続情報のリストを記憶している前記端末をネットワーク上から検索する検索手段と、前記検索手段によって、検出された前記端末から接続情報のリストを取得する取得手段とを有し、更新手段は、前記取得手段により取得した接続情報のリストにしたがって前記第１の記憶手段に記憶されている接続情報のリストを更新する。
【発明の効果】
【００１０】
本発明のある態様によると、ネットワーク上の画像表示装置へ接続する際の手間を低減することができる。
【図面の簡単な説明】
【００１１】
【図１】本発明の実施形態に係る画像投影システムの構成例を示した図である。
【図２】本発明の実施形態に係る情報処理装置のハードウエアの構成例を示すブロック図である。
【図３】本発明の実施形態に係る画像投影装置のハードウエアの構成例を示すブロック図である。
【図４】実施例１に係る情報処理装置が実装する画像投影ソフトウエアの機能構成例を示すブロック図である。
【図５】実施例１に係る接続情報のリストのデータ構成例を示す図である。
【図６】接続回数にしたがって接続情報のリストを昇順に並べかえた例を示す図である。
【図７】最終接続日時にしたがって接続情報のリストを降順に並べかえた例を示す図である。
【図８】ネットワーク上の画像投影装置と通信を行うまでの流れを示すシーケンス図である。
【図９】ユーザから接続情報の入力を受けつけ、ネットワーク上の画像投影装置と通信を行うまでの流れを示すシーケンス図である。
【図１０】接続情報のリストを用いてネットワーク上の画像投影装置と通信を行うまでの流れを示すシーケンス図である。
【図１１】他の情報処理装置から画像投影装置の接続情報のリストを取得し、接続情報リストを更新するまでの流れを示すシーケンス図である。
【図１２】接続情報のリストから接続できない画像投影装置の接続情報を削除する処理手順を示すフローチャートである。
【図１３】画像投影装置の接続情報のリストを他の情報処理装置へ送信する処理を示すシーケンス図である。
【図１４】情報処理装置が属するセグメントに存在する画像投影装置のみを表示させた接続情報のリスト例を示す図である。
【図１５】実施例２に係る情報処理装置が実装する画像投影ソフトウエアの機能構成例を示すブロック図である。
【図１６】実施例２に係る接続可能機種情報のデータ構成例を示す図である。
【図１７】実施例２に係る画像投影装置の接続情報のリストのデータ構成例を示す図である。
【図１８】実施例２に係る接続可能機種情報を反映させた画像投影装置の接続情報のリストのデータ構成例を示す図である。
【図１９】本発明の実施形態に係る画像表示システムの構成例を示した図である。
【図２０】実施例３に係る情報処理装置が実装するソフトウエアの機能構成例を示すブロック図である。
【図２１】実施例３に係る画像表示装置が実装するソフトウエアの機能構成例を示すブロック図である。
【図２２】画像表示システムの動作の一実施例（その１）を示すシーケンス図である。
【図２３】画像表示システムの動作の一実施例（その２）を示すシーケンス図である。
【図２４】画像情報取得要求のデータ構造の一例を示す図である。
【図２５】付加情報の一例を示す図である。
【図２６】情報処理装置の画面に表示される画像表示装置リストの一例を示す図である。
【図２７】画像表示システムの動作の一実施例（その３）を示すシーケンス図である。
【図２８】画像表示システムの動作の一実施例（その４）を示すシーケンス図である。
【図２９】画像表示システムの動作の一実施例（その５）を示すシーケンス図である。
【図３０】画像表示システムの動作の一実施例（その６）を示すシーケンス図である。
【図３１】画像表示システムの動作の一実施例（その７）を示すシーケンス図である。
【発明を実施するための形態】
【００１２】
以下、本発明の好適な実施の形態について図面を用いて詳細に説明する。
【００１３】
＜システム構成＞
図１は、画像投影システムの全体構成を示す図である。
【００１４】
画像投影システムは、ネットワーク２に接続可能な情報処理装置１ａ〜１ｃと、画像投影装置３ａ、３ｂ、それぞれを繋ぐネットワーク２からなる。
【００１５】
情報処理装置１ａ〜１ｃには画像投影装置への画像投影を行うためのソフトウエアが搭載されており、ソフトウエアは投影したい画像データを用意し、ネットワークを介して画像データを画像投影装置３に送信する。
【００１６】
画像データを受信した画像投影装置３ａ、３ｂは、投影面に投影データを投影させる。この画像投影装置３ａ、３ｂは、ネットワーク接続が可能なディスプレイでも構わない。
【００１７】
また、情報処理装置１ａ〜１ｃと画像投影装置３ａ、３ｂは同一セグメントのネットワークに属していてもよいし、ルータを通して通信可能であれば、別のセグメントのネットワークに所属していてもよい。前者の場合はブロードキャストで画像投影装置３ａ、３ｂの検索を行うことができるが、後者の場合は、あらかじめ画像投影装置３ａ、３ｂのＩＰアドレスを調べておかなければ通信ができない。
【００１８】
なお、以下の説明において、情報処理装置及び画像投影装置について一般的な説明を行う場合は、数字の後の英数字を略した符号を用いるものとする。例えば、情報処理装置１ａ〜１ｃは情報処理装置１と略すものとする。また、画像投影装置３ａ、３ｂは画像投影装置３と略するものとする。
【００１９】
ネットワークに接続されている情報処理装置１、画像投影装置３は図１に示される台数に限定せず、接続できるそれぞれの台数を増減させることができる。
【００２０】
＜ハードウエア構成＞
図２は、画像投影システムを構成する情報処理装置１のハードウエア構成を示す図である。情報処理装置１は、バス１０で相互に接続されているＣＰＵ（Central Processing Unit）１１、ＲＯＭ（Read Only Memory）１２、ＲＡＭ（Random Access Memory）１３、記憶装置１４、表示装置１５、入力装置１６、ネットワークＩ／Ｆ（Interface）１７、ドライブ装置１８を有する構成である。
【００２１】
ＣＰＵ１１は、プログラムをＲＡＭ１３上に読み出し、プログラムを実行するために用いられる。ＲＯＭ１２は、電源を切っても内部データを保持することができる不揮発性の半導体メモリ（記憶装置）であって、システム設定及びネットワーク関連設定などのデータを格納するために用いられる。ＲＡＭ１３は、ＲＯＭ１２から読み出されたプログラム及びデータを一時保持する揮発性の半導体メモリ（記憶装置）であって、ＣＰＵ１１のワークエリア（プログラムやデータが一時的に読み出される記憶エリア）として用いられる。記憶装置１４は、大容量の記憶領域を備えたＨＤＤ（Hard Disk Drive）やＳＳＤ（Solid State Drive）などであり、プログラムや各種データを格納し保持するために用いられる。
【００２２】
表示装置１５は、ディスプレイなどであり、各種ウィンドウやデータ等を表示するために用いられる。入力装置１６は、キーボード及びマウスなどであり、情報処理装置１に各操作信号を入力するのに用いられる。ネットワークＩ／Ｆ１７は、所定のデータ伝送路もしくはネットワーク２に接続するために用いられる。
【００２３】
ドライブ装置１８は、記憶媒体１９からデータを読み出し、あるいは記憶媒体１９にデータを書き込むために用いられる。記録媒体１９は、ＣＤ−ＲＯＭ（Compact Disk - Read Only Memory）、光磁気ディスクなどの様々なタイプの記憶媒体を用いることができる。
【００２４】
図３は、画像投影システムを構成する画像投影装置３のハードウエアの構成例を示す図である。画像投影装置３は、バス３０で相互に接続されているＲＡＭ３１、ＣＰＵ３２、フラッシュメモリ３３、通信Ｉ／Ｆ３４、ＥＥＰＲＯＭ（Electrically Erasable Programmable Read-Only Memory）３５、操作部３６、映像入力部３７、映像出力部３８、ランプ３９を有する構成である。
【００２５】
ＲＡＭ３１は、ＣＰＵ３２によるプログラムの実行のため、一時的に読み出したプログラムやデータを記憶するために用いられる。ＣＰＵ３２は、プログラムを実行させ、装置全体を制御するために用いられる。フラッシュメモリ３３、ＥＥＰＲＯＭ３５は、画像データや音声データなどの各種データを記憶するために用いられる。
【００２６】
通信Ｉ／Ｆ３４は、データ伝送路やネットワークを介して情報処理装置１と画像データの送受信を行うために用いられる。操作部３６は、ユーザからの操作を受けつけ、画像の明るさ調整、音量調整などの操作を行うために用いられる。
【００２７】
映像入力部３７は、通信Ｉ／Ｆを介して接続される情報処理装置１から画像データの入力を受けつけるために用いられる。映像出力部３８は、例えば、液晶表示装置であり、映像入力部３７から受けつけた画像データを出力するために用いられる。ランプ３９は、例えば、ハロゲンランプがあり、光を出し、投影レンズ（図示せず）を介して投影面に映像出力部３８より出力された画像データを投影するために用いられる。
【００２８】
＜実施例１＞
図４は、情報処理装置１に実装される画像投影ソフトウエアの機能構成例を示すブロック図である。画像投影ソフトウエアは、ユーザインタフェース部１０１、画像投影装置検索部１０２、接続情報リスト管理部１０３、画像投影装置接続部１０４、通信制御部１０５、投影データ作成部１０６を備える。
【００２９】
ユーザインタフェース部１０１は、ユーザからの入力の受け付けや、ユーザへの通知などを行う。ユーザインタフェース部１０１がユーザから受けつける入力には、画像投影装置３の検索要求、接続する画像投影装置３の指定、画像投影装置３への接続に用いる接続情報の入力などがある。ユーザインタフェース部１０１がユーザに行う通知には、画像投影装置３の検出結果、接続情報を有する画像投影装置３の一覧表示などがある。
【００３０】
画像投影装置検索部１０２は、ネットワークに接続された画像投影装置の検索を行う。画像投影装置検索部１０２が行う画像投影装置３の検索は、同一セグメントのネットワーク内にある通信装置に対してブロードキャストを行い、ネットワーク内の画像投影装置３を検索する。画像投影装置３の検索には、ＳＮＭＰ（Simple Network Management Protocol）やＳＳＤＰ（Simple Service Discovery Protocol）などの通信プロトコルを用いて行う。
【００３１】
また、画像投影装置検索部１０２は、検出した画像投影装置３から接続情報の取得も行う。接続情報の取得は各画像投影装置で対応している通信プロトコル、ＡＰＩ（Application Programming Interface）を用いて行う。
【００３２】
さらに、画像投影装置検索部１０２は、接続情報を用いて該当する画像投影装置３へ接続可能か否かの確認を行う。具体的には、接続情報に含まれるＩＰアドレスを用いて画像投影装置３へ接続を行い、画像投影装置名などのＩＰアドレス以外に画像投影装置３を識別可能な情報を取得する。画像投影装置３への接続結果と、画像投影装置３から取得した画像投影装置３を識別可能な情報にしたがって、接続情報を用いて該当する画像投影装置３に接続可能か否かの確認を行う。
【００３３】
画像投影装置３へ接続可能か否かの確認は、画像投影ソフトウエアが起動されるタイミングや、他の情報処理装置から接続情報を取得したタイミングで行われる。なお、画像投影装置３へ接続可能か否かの確認を行うタイミングは、ユーザインタフェース部１０１を介してユーザから入力を受けつけて設定してもよい。
【００３４】
接続情報リスト管理部１０３は、接続情報を記載するリストを備え、接続情報の登録、更新、削除を行う。また、接続情報リスト管理部１０３は、接続しているネットワークから他の情報処理装置を検索し、他の情報処理装置から接続情報のリストの取得を行う。他の情報処理装置から取得した接続情報のリストを参照し、自装置の接続情報のリストを更新する。
【００３５】
また、接続情報リスト管理部１０３は、接続しているネットワーク上の他の情報処理装置から接続情報のリストの送信要求を受信した場合、他の情報処理装置へ接続情報のリストの送信を行う。
【００３６】
画像投影装置接続部１０４は、ネットワーク上の画像投影装置３への接続を行う。画像投影装置３への接続は、該当する画像投影装置３の接続情報を接続情報リスト管理部１０３から取得して行う。
【００３７】
通信制御部１０５は、接続情報や、接続情報のリストなどデータの送受信を行う。データの送受信はＨＴＴＰなどの所定のプロトコルを用いて行う。
【００３８】
投影データ作成部１０６は、画像投影装置３を介して投影画面に投影したい画像データを、画像投影装置３で処理可能なデータ形式への変換を行う。
【００３９】
ここで、接続情報のデータ構成について説明する。図５は、接続情報のデータ構成例を示す図である。
【００４０】
図５に示すように、接続情報は、"ＩＰアドレス"、"画像投影装置名"、"接続回数"、"最終接続日時"、"常時利用"、"接続確認結果"、"削除判断結果"の各項目で構成される。
【００４１】
"ＩＰアドレス"は、画像投影装置３に割り当てられたＩＰアドレスを示す情報である。接続情報には少なくとも"ＩＰアドレス"が設定される。図５にて、"ＩＰアドレス"は、"１９２．１６８．１．４４"のようにＩＰｖ４に対応した例を示しているが、ＩＰｖ６へ対応することもできる。また、図５ではローカルアドレスが示されているがグローバルアドレスが含まれる場合もある。
【００４２】
"画像投影装置名"は、画像投影装置３ごとに単一に設定される情報である。
【００４３】
"接続回数"は、各画像投影装置への接続回数を示す情報である。接続回数には、自装置の画像投影装置３への接続回数が記憶される。他の情報処理装置から接続情報のリストを取得し、自装置の接続情報のリストに新しく接続情報を追加した場合、接続回数には"０"が設定される。接続回数は、画像投影装置３へ接続を行うたびに更新される。
【００４４】
"最終接続日時"は、自装置が各画像投影装置へ接続を行った最終日時を示す情報である。図５に示す例では、"最終接続日時"は、"２０１３／１２／１０  １１：００"というように年月日と時刻を記録している。
【００４５】
"常時利用"は、画像投影装置３の利用時に、該当する画像投影装置３を常用するか否かを示す情報である。"常時利用"項目には"Ｏｎ"もしくは"Ｏｆｆ"がユーザの操作によって記載される。画像投影装置３を常用する場合は、指定した画像投影装置３の"常時利用"項目に"Ｏｎ"が設定される。図５では、"ＰＪ０１"が常用する画像投影装置３として設定されている。なお、常用を示す"Ｏｎ"が、同時に複数の画像投影装置３へ設定されることはない。
【００４６】
"接続確認結果"は、"ＩＰアドレス"に記載されたＩＰアドレスを用いて"画像投影装置名"が示す画像投影装置３へ接続可能か否かを示す情報である。"接続確認結果"は、画像投影装置検索部１０２による接続確認の結果に基づき値が設定される。"画像投影装置名"が示す画像投影装置３へ接続可能な場合は"○"が記載され、接続できない場合は"×"が記載される。
【００４７】
"削除判断結果"は、接続情報を接続情報のリストから削除するか否かを示す情報である。"削除判断結果"は、接続情報を用いて画像投影装置３へ接続できるか否かの判断結果によって値が設定される。例えば、接続情報を用いて画像投影装置３へ接続できない場合、該当する画像投影装置３がネットワーク上に存在しないもしくは接続情報が変更された可能性があるため、"削除判断結果"には"削除"を設定する。"削除判断結果"に"削除"が記載された接続情報は接続情報リストから削除される。
【００４８】
反対に、接続情報を用いて画像投影装置３へ接続ができた場合、該当する画像投影装置３は接続情報のリストにある接続情報で接続を行えることから、削除判断結果には"保存"を記載する。
【００４９】
ただし、"常時利用"項目が"Ｏｎ"になっている画像投影装置３は、接続情報を用いて画像投影装置３へ接続できない場合であっても、削除判断結果に"保存"を設定する。
【００５０】
接続情報のリストは、接続情報の項目にしたがって、接続情報の並び順を変更し、表示させることができる。
【００５１】
図６は、接続情報のリストを"接続回数"に基づいて昇順に並べ替えた場合の例である。図６では、接続頻度の一番高い接続回数"１２"の"ＰＪ０１"を最上位とし、次に接続回数"８"の"ＰＪ０２"、次に接続回数"３"の"ＰＪ０３"、最後に接続回数"０"の"ＰＪ０４"というように接続情報を並べている。
【００５２】
図７は、接続情報のリストを"最終接続日時"に基づいて降順に並べ替えたデータの例である。図７では、最終接続から一番期間の開いている最終接続日時"２０１３/１０/１/０９：３０"の"ＰＪ０３"を最上位とし、次に最終接続日時"２０１３/１２/０１/１５：２０"の"ＰＪ０１"、次に最終接続日時"２０１３/１２/１０/１１：００"の"ＰＪ０２"、最後に接続記録が一度もない"ＰＪ０４"というように接続情報を並べている。
【００５３】
図８は、情報処理装置１からネットワーク上の画像投影装置３を検索し、接続を行うまでの処理の流れを示すシーケンス図である。
【００５４】
ユーザインタフェース部１０１は、画像投影装置３の検索要求をユーザから受けつける（ステップＳ１）。ユーザインタフェース部１０１は受けつけた検索要求を画像投影装置検索部１０２へ送る（ステップＳ２）。
【００５５】
画像投影装置検索部１０２は、同一セグメント内に存在する画像投影装置３の検索を通信制御部１０５を介して行う（ステップＳ３）。画像投影装置３の検索は、情報処理装置１の属するセグメントへブロードキャストすることによって行われる。
【００５６】
画像投影装置３の検索によって画像投影装置３が検出された場合、画像投影装置検索部１０２は、検出された画像投影装置３ごとにＩＰアドレス、画像投影装置名など画像投影装置の接続情報を取得する（ステップＳ４）。画像投影装置検索部１０２は取得した画像投影装置の接続情報を画像投影装置接続部１０４へ送り、画像投影装置接続部１０４は、画像投影装置検索部１０２から受け取った画像投影装置３の接続情報を一時的に登録する（ステップＳ５）。
【００５７】
ユーザインタフェース部１０１は、接続情報を取得した画像投影装置３の中から接続する画像投影装置３の指定をユーザから受けつける（ステップＳ６）。ユーザインタフェース部１０１は、ユーザが指定した画像投影装置３への接続を画像投影装置接続部１０４に要求する（ステップＳ７）。画像投影装置接続部１０４は、一時的に登録されている画像投影装置３の接続情報を用いて、指定された画像投影装置３に接続を行う（ステップＳ８）。
【００５８】
画像投影装置接続部１０４は、指定された画像投影装置３との接続が完了後、画像投影装置３との接続に用いた接続情報を接続情報リスト管理部１０３へ送信し、接続情報リスト管理部１０３は、受け取った接続情報を接続情報のリストに追加する（ステップＳ９）。
【００５９】
ユーザより指定された画像投影装置３との接続が完了後、投影データ作成部１０６は、投影データを画像投影装置３へ送信する（ステップＳ１０）。
【００６０】
なお、図８では画像投影装置３への接続が完了後、画像投影装置３の接続情報を接続情報のリストに保存する例を示したが、画像投影装置３の接続情報を取得した時点で画像投影装置３の接続情報を接続情報のリストに保存してもよい。
【００６１】
図９は、画像投影装置検索部１０２で画像投影装置３を検出できなかった場合、ユーザから接続情報の入力を受けつけて画像投影装置３への接続を行う処理の流れを示すシーケンス図である。
【００６２】
ユーザからの検索要求を受けて、画像投影装置検索部１０２は画像投影装置３の検索を行う（ステップＳ１１〜Ｓ１３）。
【００６３】
画像投影装置検索部１０２にて画像投影装置３が検出されなかった場合、ユーザインタフェース部１０１は、ユーザから接続する画像投影装置３の接続情報の入力を受けつける（ステップＳ１４）。
【００６４】
ユーザインタフェース部１０１はユーザから受けつけた接続情報を画像投影装置接続部１０４に送信し、画像投影装置接続部１０４は、ユーザインタフェース部１０１から受信した接続情報を一時的に登録する（ステップＳ１５）。画像投影装置接続部１０４は、一時的に登録した接続情報を用いて画像投影装置３への接続を行う（ステップＳ１６）。
【００６５】
画像投影装置接続部１０４は、画像投影装置３との接続が完了後、画像投影装置３との接続に用いた接続情報を接続情報リスト管理部１０３へ送信し、接続情報リスト管理部１０３は、画像投影装置接続部１０４から受信した接続情報を接続情報のリストに追加する（ステップＳ１７）。
【００６６】
画像投影装置３との接続が完了後、投影データ作成部１０６は、投影データを画像投影装置３へ送信する（ステップＳ１８）。
【００６７】
なお、図９では画像投影装置検索部１０２による検索実行後にユーザから接続情報の入力を受けつける例を示したが、画像投影装置検索部１０２による検索を行わず、はじめにユーザから接続情報の入力を受けつけてもよい。
【００６８】
図１０は、接続情報のリストを用いてネットワーク上の画像投影装置３と通信を行うまでの流れを示すシーケンス図である。
【００６９】
ユーザインタフェース部１０１は、ユーザより接続情報のリストの閲覧要求を受ける（ステップＳ２１）。ユーザインタフェース部１０１は、接続情報リスト管理部１０３から接続情報のリストを取得し、ユーザへ表示する（ステップＳ２２）。
【００７０】
ユーザは接続情報のリストから接続する画像投影装置３の接続情報を選択する（ステップＳ２３）。ユーザインタフェース部１０１は、ユーザから選択された接続情報を接続情報リスト管理部１０３へ通知する（ステップＳ２４）。通知を受けた接続情報リスト管理部１０３は、選択された画像投影装置３の接続情報を画像投影装置接続部１０４に送信する（ステップＳ２５）。
【００７１】
画像投影装置接続部１０４は、受信した接続情報を用いてユーザから選択された画像投影装置３への接続を行う（ステップＳ２６）。画像投影装置３との接続が完了後、投影データ作成部１０６は、投影データを画像投影装置３へ送信する（ステップＳ２７）。
【００７２】
図１１は、情報処理装置１が、他の情報処理装置から取得した画像投影装置３の接続情報を用いて、画像投影装置３へ接続するまでの流れを示すシーケンス図である。
【００７３】
ユーザインタフェース部１０１は、画像投影ソフトウエアの実行要求をユーザから受けつける（ステップＳ３１）。
【００７４】
ユーザインタフェース部１０１は接続情報リスト管理部１０３に対して接続情報のリストの更新を要求する（ステップＳ３２）。接続情報のリスト更新の要求を受けた接続情報リスト管理部１０３は、同一セグメント内の他の情報処理装置を検索する（ステップＳ３３）。
【００７５】
接続情報リスト管理部１０３は、検出された他の情報処理装置に対して、他の情報処理装置が保持している画像投影装置３の接続情報のリストの送信要求を行い、接続情報のリストを取得する（ステップＳ３４）。
【００７６】
接続情報リスト管理部１０３は、他の情報処理装置から取得した接続情報のリストを参照し、記憶している接続情報のリストの更新を行う（ステップＳ３５）。接続情報のリストの更新は、接続情報のリストに記載されていない画像投影装置３の接続情報の追加や、"削除判断結果"の項目に"削除"が記載されている画像投影装置３の削除などを行う。
【００７７】
接続情報のリストの更新後、接続情報リスト管理部１０３は、各画像投影装置の接続情報を用いて各画像投影装置へ接続が行えるか否かの確認を行う（ステップＳ３６）。各画像投影装置へ接続可能か否かの判断は、接続情報を用いて画像投影装置３へ接続を行い、画像投影装置３から画像投影装置名を取得し、接続情報に含まれるものと一致するか否かで行う。
【００７８】
接続情報リスト管理部１０３は、接続情報のリストの中に接続情報を用いて接続できない画像投影装置３がある場合、"削除判断結果"の項目を更新し、該当する画像投影装置３の接続情報を削除する（ステップＳ３７）。
【００７９】
接続できない画像投影装置３の接続情報を削除後、接続情報リスト管理部１０３は、接続できない画像投影装置３の接続情報を接続情報のリストからの削除するよう他の情報処理装置へ要求する（ステップＳ３８）。
【００８０】
図１２は、接続情報を用いて画像投影装置３を接続情報から削除する処理手順例を示した図である。
【００８１】
図１１に示す、他の情報処理装置から接続情報のリストを取得し、接続情報のリストを更新する処理を実行後、当該処理は開始される（ステップＳ１００）。
【００８２】
画像投影装置検索部１０２は、接続情報のリストに含まれる接続情報を用いて該当する画像投影装置３へ接続可能か否かを確認する（ステップＳ１０１）。
【００８３】
接続情報リスト管理部１０３は、画像投影装置検索部１０２での確認結果に基づき、画像投影装置３が接続情報を用いて接続可能か否かの判断を行う（ステップＳ１０２）。
【００８４】
画像投影装置３が接続情報を用いて接続可能な場合（ステップＳ１０２：ＹＥＳ）、"削除判断結果"項目に"保存"を設定し、処理を終了する（ステップＳ１０４、Ｓ１０７）。
【００８５】
画像投影装置３が接続情報を用いて接続できない場合（ステップＳ１０２：ＮＯ）、画像投影装置３が常時利用する設定になっているか否かの判断を行う（ステップＳ１０３）。
【００８６】
画像投影装置が常時利用する設定になっている場合（ステップＳ１０３：ＹＥＳ）、"削除判断結果"項目に"保存"を設定し、処理を終了する（ステップＳ１０４、１０７）。
【００８７】
画像投影装置３を常時利用する設定になっていない場合（ステップＳ１０３：ＮＯ）、"削除判断結果"項目に"削除"が設定される（ステップＳ１０５）。その後、"削除判断結果"項目に"削除"が記載された画像投影装置３の接続情報を接続のリストから削除し、処理を終了する（ステップＳ１０６、Ｓ１０７）。
【００８８】
図１３は、他の情報処理装置から接続情報のリストの送信要求を受信した場合の処理例を示す図である。
【００８９】
通信制御部１０５は他の情報処理装置から接続情報のリストの送信要求を受信し、接続情報リスト管理部１０３へ送信する（ステップＳ４１）。接続情報リスト管理部１０３は、通信制御部１０５を介して接続情報のリストを他の情報処理装置へ提供する（ステップＳ４２）。
【００９０】
＜実施例１の１＞
実施例１の１では接続情報のリストをネットワークのセグメントごとに作成し、管理する場合の例を示す。
【００９１】
実施例１の１において、接続情報リスト管理部１０３は接続情報のリストをネットワークのセグメントごとに保存し、管理することができる。
【００９２】
接続情報リスト管理部１０３は、接続情報に含まれるＩＰアドレスにしたがって、接続情報を分類し、ネットワークごとに接続情報を保存する。
【００９３】
図１４は、ネットワークのセグメントごとにわけて記録される接続情報のリストの例である。図１４（ａ）は"１９２．１６８．１１．ｘ"に存在する画像投影装置３の接続情報のリストを表示した例であり、図１４（ｂ）は"１９２．１６８．１２．ｘ"に存在する画像投影装置３の接続情報のリストを表示した例である。
【００９４】
接続情報リスト管理部１０３は、同一ネットワーク上の他の情報処理装置から接続情報のリストの送信要求を受けた場合、送信要求を受けた時点で接続しているセグメントの接続情報のリストを送信する。
上述した接続情報のデータ構成を除き、実施例１の１で実行される処理は実施例１と同一であるため、実施例１において図８〜図１３を用いて説明した処理の説明は省略する。
【００９５】
これにより、接続ネットワーク上に接続している画像投影装置３のみを使いたい場合、接続しているネットワーク以外の画像投影装置３の接続情報を除外し、接続しているネットワーク上にある画像投影装置３の接続情報のみを表示させることができる。
【００９６】
＜実施例２＞
実施例２は接続情報に機種名、バージョン情報を含める場合の例について説明する。図１５は実施例２に係る機能構成を示すブロック図である。図４と同一の機能を持つ機能部は図４と同じ符号を付している。また、図４と同一の機能は説明を省略する。
【００９７】
接続可能機種記憶部１１１は、情報処理装置１がネットワークを介して接続可能な画像投影装置３の機種情報を記憶する。
【００９８】
図１６は接続可能機種記憶部１１１が記憶する接続可能な画像投影装置３の機種情報のデータ構成例を示す図である。
【００９９】
接続可能な画像投影装置３の機種情報には、図５で示した項目に加え、"接続可能機種"及び"ソフトウエアバージョン"が含まれる。"接続可能機種"には、「ＴｙｅｐｅＡ」というように画像投影装置３の機種が記載されている。"ソフトウエアバージョン"には、「Ｖｅｒ１．３以降」というように、どのソフトウエアバージョンであれば接続可能かを示す情報が記載される。接続可能な画像投影装置３の機種の情報は、ユーザインタフェース部１０１にてユーザから入力を受けつけて設定することができる。
【０１００】
画像投影装置検索部１０２は、検出された画像投影装置３から各画像投影装置の機種名と、画像投影装置３が実装しているソフトウエアバージョンの情報を取得する。
【０１０１】
図１７は、画像投影装置３の機種名の情報と、画像投影装置３が実装しているソフトウエアバージョンの情報を含む接続情報のデータ構成例を示している。なお、図５と同一の項目の説明は省略する。
【０１０２】
画像投影装置３の"機種名"は画像投影装置３の機種名を示す情報である。ソフトウエアバージョン情報は画像投影装置３が実装しているソフトウエアバージョンを示す情報である。"ソフトウエアバージョン"は画像投影装置３への接続可能か否かを確認するタイミングで随時、更新される。
【０１０３】
接続情報リスト管理部１０３は、図１８に示すように、接続可能機種記憶部１１１に記憶される接続可能な画像投影装置３の機種情報と、接続情報に含まれる画像投影装置３の機種名及びソフトウエアバージョンとを照合し、接続可能な画像投影装置３の接続情報のみを接続情報のリストに表示させることができる。
【０１０４】
上述した機能構成および接続情報のデータ構成を除き、実施例２で実行される処理は実施例１を適用できるため、実施例１において図８〜図１３を用いて説明した処理の説明は省略する。
【０１０５】
これにより、接続可能な画像投影装置３を表示させることができ、接続できない画像投影装置３に誤って接続を行うことで生じる接続エラーを防止することができる。
【０１０６】
＜実施例３＞
図１９は、画像表示システムの全体構成を示す図である。
【０１０７】
画像情報表示システムは、ネットワーク２に接続可能なＰＣ、タブレット端末などの情報処理装置５ａ−５ｃと、画像表示装置６ａ−６ｄとを有する。情報処理装置５ａ−５ｃ、及び画像表示装置６ａ−６ｄは、ネットワーク２を介してそれぞれ接続される。
【０１０８】
情報処理装置５ａ−５ｃには、画像表示装置６ａ−６ｄなどの画像表示装置と接続し、画像情報を送信するための情報処理装置用ソフトウェアが搭載されている。情報処理装置５ａ−５ｃは、デスクトップ画面のキャプチャデータなどの画像情報を用意でき、ネットワーク２を介して、画像表示装置６ａ−６ｄに送信できる。情報処理装置５ａ−５ｃによって送信された画像情報を受信した画像表示装置６ａ−６ｄは、画像情報を処理することによって画像を表示できる。
【０１０９】
また、画像表示装置６ａ−６ｄには、ＵＳＢメモリ、ハードディスク、ＮＡＳ（Network Attached Storage）などの外部記憶装置７を接続することもできる。この場合、画像表示装置６ａ−６ｄは、外部記憶装置７に格納された画像情報ファイルを開き、画像情報を処理することによって画像を表示することができる。
【０１１０】
なお、以下の説明において、情報処理装置（５ａ、５ｂ、５ｃ）のうち任意の情報処理装置を示す場合には「情報処理装置５」を用い、画像表示装置（６ａ、６ｂ、６ｃ、６ｄ）のうち任意の画像表示装置を示す場合には「画像表示装置６」を用いる。
【０１１１】
図１９では、３台の情報処理装置が描かれているが、１−２台とすることも、４台以上とすることもできる。また、図１９では、４台の画像表示装置が描かれているが、１−３台とすることも、５台以上とすることもできる。
【０１１２】
＜ハードウエア構成＞
画像情報表示システムを構成する情報処理装置５のハードウエア構成は図２を適用でき、画像表示装置６のハードウエア構成は図３を適用できる。
【０１１３】
＜画像情報表示システムの機能構成＞
＜情報処理装置５の機能構成＞
図２０は、情報処理装置５に実装される情報処理装置用ソフトウエアの機能構成例を示すブロック図である。情報処理装置用ソフトウエアは、ユーザインタフェース部５０１、画像表示装置検索部５０２、接続情報リスト管理部５０３、画像表示装置接続部５０４、通信制御部５０５、及び表示データ作成部５０６を備える。
【０１１４】
ユーザインタフェース部５０１は、ユーザからの入力の受け付けや、ユーザへの通知などを行う。ユーザインタフェース部５０１がユーザから受けつける入力には、画像表示装置６の検索要求、接続する画像表示装置６の指定、画像表示装置６への接続に用いる接続情報の入力などがある。ユーザインタフェース部５０１がユーザに行う通知には、画像表示装置６の検出結果、接続情報を有する画像表示装置６の一覧表示などがある。
【０１１５】
画像表示装置検索部５０２は、ネットワーク２に接続された画像表示装置の検索を行う。画像表示装置検索部５０２が行う画像表示装置６の検索は、同一セグメントのネットワーク内にある通信装置に対してブロードキャストを行い、ネットワーク内の画像表示装置６を検索する。画像表示装置６の検索には、ＳＮＭＰやＳＳＤＰなどの通信プロトコルを用いて行う。
【０１１６】
また、画像表示装置検索部５０２は、検出した画像表示装置６から接続情報の取得も行う。接続情報の取得は各画像表示装置で対応している通信プロトコル、ＡＰＩを用いて行う。
【０１１７】
さらに、画像表示装置検索部５０２は、接続情報を用いて該当する画像表示装置６へ接続可能か否かの確認を行う。具体的には、接続情報に含まれるＩＰアドレスを用いて画像表示装置６へ接続を行い、画像表示装置名などのＩＰアドレス以外に画像表示装置６を識別可能な情報を取得する。画像表示装置６への接続結果と、画像表示装置６から取得した画像表示装置６を識別可能な情報にしたがって、接続情報を用いて該当する画像表示装置６に接続可能か否かの確認を行う。
【０１１８】
画像表示装置６へ接続可能か否かの確認は、情報処理装置用ソフトウエアが起動されるタイミングや、他の情報処理装置から接続情報を取得したタイミングで行われる。なお、画像表示装置６へ接続可能か否かの確認を行うタイミングは、ユーザインタフェース部５０１を介してユーザから入力を受けつけて設定してもよい。
【０１１９】
接続情報リスト管理部５０３は、接続情報を記載するリストを備え、接続情報の登録、更新、削除を行う。また、接続情報リスト管理部５０３は、接続しているネットワークから他の情報処理装置を検索し、他の情報処理装置から接続情報のリストの取得を行う。他の情報処理装置から取得した接続情報のリストを参照し、自装置の接続情報のリストを更新する。
【０１２０】
また、接続情報リスト管理部５０３は、接続しているネットワーク上の他の情報処理装置から接続情報のリストの送信要求を受信した場合、他の情報処理装置へ接続情報のリストの送信を行う。
【０１２１】
画像表示装置接続部５０４は、ネットワーク上の画像表示装置６への接続を行う。画像表示装置６への接続は、該当する画像表示装置６の接続情報を接続情報リスト管理部５０３から取得して行う。
【０１２２】
通信制御部５０５は、接続情報や、接続情報のリストなどデータの送受信を行う。データの送受信はＨＴＴＰなどの所定のプロトコルを用いて行う。
【０１２３】
表示データ作成部５０６は、画像表示装置６を介して表示画面に表示したい画像データを、画像表示装置６で処理可能なデータ形式への変換を行う。
【０１２４】
接続情報のリストや、システムの動作については、上述した実施例を適用できる。
【０１２５】
＜画像表示装置６の機能構成＞
図２１は、画像表示装置６に実装される画像表示装置用ソフトウェアの機能構成例を示す機能ブロック図である。画像表示装置用ソフトウエアは、ユーザインタフェース部６０１、要求管理部６０２、機器情報管理部６０３、画像表示部６０４、通信制御部６０５、画像情報管理部６０６、及びファイル管理部６０７を備える。
【０１２６】
ユーザインタフェース部６０１は、ユーザからの入力の受け付けや、ユーザへの通知などを行う。ユーザは、ボタンなどのハードウェアを通じてユーザインタフェース部６０１に入力することができる。ユーザインタフェース部６０１は、発光ダイオード(LED: Light Emitting Diode)の表示制御を行うとともに、UI部品の表示制御を行う。
【０１２７】
要求管理部６０２は、ユーザインタフェース部、若しくはネットワーク２を介して情報処理装置５によって送信された各種要求を受け付け、実行する。
【０１２８】
機器情報管理部６０３は、画像表示装置６の状態や、設定情報を管理する。
【０１２９】
画像表示部６０４は、画像情報を表示する。
【０１３０】
通信制御部６０５は、ネットワーク２を通じて、各種要求や、画像情報の送受信を行う。
【０１３１】
画像情報管理部６０６は、画像情報を管理するとともに、画像に対して各種加工を行う。
【０１３２】
ファイル管理部６０７は、外部記憶装置７が接続された際に、該外部記憶装置７に保存されている画像などのファイルの読み込みや、該外部記憶装置７に画像などのファイルの書き込みを行う。
【０１３３】
＜画像情報表示システムの動作＞
図２２は、画像情報表示システムの動作の一実施例（その１）を示す。
【０１３４】
図２２に示される例では、情報処理装置５は、情報処理装置用ソフトウェアにしたがってCPU１１が動作することによって、接続情報のリストを用いてネットワーク２上の画像表示装置６と接続する。
【０１３５】
ユーザインタフェース部５０１は、ユーザより接続情報のリストの閲覧要求を受ける（ステップＳ２２０２）。ユーザインタフェース部５０１は、接続情報リスト管理部５０３から接続情報のリストを取得し、表示する（ステップＳ２２０４）。
【０１３６】
ユーザは接続情報のリストから接続する画像表示装置６の接続情報を選択できる（ステップＳ２２０６）。ユーザインタフェース部５０１は、ユーザによって選択された接続情報を接続情報リスト管理部５０３へ通知する（ステップＳ２２０８）。通知を受けた接続情報リスト管理部５０３は、選択された画像表示装置６の接続情報を画像表示装置接続部５０４に送信する（ステップＳ２２１０）。
【０１３７】
画像表示装置接続部５０４は、受信した接続情報を用いてユーザから選択された画像表示装置６に接続する（ステップＳ２２１２）。画像表示装置６との接続が完了後、表示データ作成部５０６は、表示データを画像表示装置６へ送信する（ステップＳ２２１４）。
【０１３８】
図２３は、画像情報表示システムの動作の一実施例（その２）を示す。
【０１３９】
図２３に示される例では、情報処理装置５は、情報処理装置用ソフトウェアにしたがってCPU１１が動作することによって、図２２のステップＳ２２１２の動作の後に、画像情報を表示している画像表示装置６から画像情報を取得して、該画像情報を検索結果として表示する。ユーザは、検索結果を参照し、情報処理装置５の画像を表示する画像表示装置６を選択できる。情報処理装置５は、ユーザによって選択された画像表示装置６に接続する。
【０１４０】
画像表示装置６に接続した後、情報処理装置５の画像表示装置検索部５０２は、画像情報の取得を要求する画像情報取得要求を通信制御部５０５に入力する（ステップＳ２３０２）。画像情報取得要求には、取得する画像サイズの情報が含まれる。
【０１４１】
図２４は、画像情報取得要求のデータ構造の一例を示す。
【０１４２】
画像情報取得要求では、「縮小要否」と「必要画像サイズ」を設定できる。「縮小要否」によって画像を縮小するか否かを設定できる。「必要画像サイズ」によって画像のサイズを設定できる。図２４（１）に示すように、「縮小要否」を「必要」とした場合に「必要画像サイズ」を設定できる。「縮小要否」を「必要」とした画像情報取得要求を受信した画像表示装置６は、指定された画像のサイズ、若しくはアスペクト比を保持したまま指定されたサイズ内に収まるように画像を加工して応答する。図２４（２）に示すように、「縮小要否」を「不要」とした場合は、「必要画像サイズ」の設定は不要である。
【０１４３】
図２３に戻り説明を続ける。通信制御部５０５は、画像表示装置検索部５０２によって入力される画像情報取得要求を画像表示装置６に送信する（ステップＳ２３０４）。
【０１４４】
情報処理装置５によって送信された画像情報取得要求は、画像表示装置６の通信制御部６０５に入力される。通信制御部６０５は、画像情報取得要求を要求管理部６０２に入力する（ステップＳ２３０６）。
【０１４５】
要求管理部６０２は、通信制御部６０５によって入力される画像情報取得要求を受け付け、画像情報管理部６０６によって管理されている画像情報を取得する（ステップＳ２３０８）。要求管理部６０２は、画像情報取得要求に含まれる画像サイズの情報にしたがって、画像のサイズを変更する（ステップＳ２３１０）。例えば、要求管理部６０２は、画像サイズの情報にしたがって、画像のサイズを縮小したり、拡大したりできる。また、要求管理部６０２は、画像にぼかし加工、モザイク加工などの画像加工を行うように設定されている場合には、画像サイズを変更するとともに、画像加工を行う（ステップＳ２３１２）。ぼかし加工、モザイク加工などの画像加工を行うことによって、画像の大まかな形や色はわかるが、文字等の細部の情報は読み取れないようにできるため、画像の機密性を向上できる。要求管理部６０２は、通信制御部６０５に画像情報、及び付加情報を付帯した画像情報取得応答を入力する（ステップＳ２３１４）。
【０１４６】
図２５は、付加情報の一例を示す。付加情報には、「画像表示状態」、「画像取得可否設定」、「割込接続可否設定」、「画像送信元ユーザ名」、「画像ファイル名」、「画像」などの取得画像情報が含まれる。
「画像表示状態」は、画像表示装置６によって画像が表示されているか否かを表す情報である。「画像取得可否設定」は、画像表示装置６によって表示されている画像を取得することができるか否かを表す情報である。「割込接続可否設定」は、画像表示装置６に情報処理装置５が接続されている状態で、他の情報処理装置５が割り込んで画像表示装置６に接続できるか否かを表す情報である。「画像送信元ユーザ名」は、画像表示装置６によって表示されている画像を送信している情報処理装置５のユーザの名称である。「画像ファイル名」は、画像表示装置６によって外部記憶装置７に記憶されている画像情報が処理されることによって表示されている場合に、その画像情報のファイルの名称である。「画像」は、動画、静止画などの画像の種別を表す情報である。
【０１４７】
図２５（１）に示すように、「画像表示状態」が「表示中」で、「画像取得可否設定」が「取得可」の場合は、画像情報取得応答には、付加情報とともに、表示中の画像の画像情報が含まれる。
【０１４８】
図２５（２）に示すように「画像表示状態」が「非表示中」の場合、若しくは図２５（３）に示すように「画像表示状態」が「表示中」でも、「画像取得可否設定」が「取得不可」の場合は、画像情報取得応答には、画像情報は含まれない。
【０１４９】
また、「画像表示状態」が「表示中」の場合で、「割込接続可否設定」が「割込可」の場合は画像表示装置６によって現在表示されている画像表示の終了を待たずに、該画像表示装置６は別の情報処理装置５からの画像情報取得要求を受け付けることができる。
【０１５０】
「画像表示状態」が「表示中」の場合で、「割込接続禁止設定」が「割込不可」の場合は画像表示装置６によって現在表示されている画像表示が終了しなければ、該画像表示装置６は別の情報処理装置５からの画像情報取得要求を受け付けることができない。
【０１５１】
また、表示中の画像が情報処理装置５から送信されたものである場合は「画像送信元ユーザ名」に値が入り、図２５（４）に示すように表示中の画像が外部情報端末７から読み込んだものである場合は、「画像ファイル名」に値が入る。
【０１５２】
図２３に戻り説明を続ける。通信制御部６０５は、要求管理部６０２によって入力された画像情報取得応答を情報処理装置５に送信する（ステップＳ２３１６）。
【０１５３】
画像表示装置６によって送信された画像情報取得応答は、情報処理装置５の通信制御部５０５に入力される。通信制御部５０５は、画像情報取得応答を画像表示装置検索部５０２に入力する（ステップＳ２３１８）。画像表示装置検索部５０２は、通信制御部５０５によって画像情報取得応答が入力されるとユーザインタフェース部５０１に検索終了通知を行う（ステップＳ２３２０）。ユーザインタフェース部５０１は、画像表示装置検索部５０２によって検索終了通知が入力されると、画像表示装置リストの表示を更新する（ステップＳ２３２２）。
【０１５４】
図２６は、情報処理装置５の画面に表示される画像表示装置リストの一例を示す図である。情報処理装置５の表示装置１５の画面には、画像表示装置６の各々から取得した画像情報取得応答に基づいて、画像が、画像表示装置６の各々に対して用意された表示エリアに収まるように表示される。
【０１５５】
情報処理装置５によって検索が行われると、ネットワーク２上で検出された画像表示装置６から、ＩＰアドレス、画像表示装置の名称などの識別情報が送信される。情報処理装置５は、検索結果として、画像表示装置６によって送信された識別情報を表示する。
【０１５６】
図２６に示される例では、画像表示装置６ａから取得した画像情報を処理することによって画像等が表示され、画像表示装置６ｂから取得した画像情報を処理することによって画像等が表示されている。なお、画像表示装置６ｂは、外部記憶装置７に記憶された画像ファイルを表示しているため、画像送信元端末ユーザ名は表示されていない。また、画像表示装置６ｃは非表示中の状態であるため、画像表示装置６ｃから取得した画像表示装置名、画像表示装置アドレスのみが表示されている。画像表示装置６dは、「画像取得可否設定」が「取得拒否」に設定されているため、画像は表示されていない。
【０１５７】
情報処理装置５の表示装置１５の画面に表示されている「検索」ボタンは、画像表示装置６の検索を開始する際に用いるボタンである。「検索」ボタンが押下されることによって、図２２のステップＳ２２０６の処理を開始することもできる。「検索」ボタンが押下された場合に、画像サイズの入力を促す画面を表示することもできる。
【０１５８】
「接続」ボタンは、画像表示装置６にコンテンツを送信する際に押下するボタンである。「接続」ボタンが押下された場合に、コンテンツの選択、画像取得可否設定及び割込接続可否設定の入力を促す画面を表示することもできる。
【０１５９】
図２３に戻り説明を続ける。ユーザは画像表示装置リストを参照し、画像表示装置６を選択できる（ステップＳ２３２４）。さらに、ユーザは、選択した画像表示装置６に画像を送信するために、「接続」ボタンを押し下げることによって接続要求を行うことができる（ステップＳ２３２６）。ユーザによって「接続」ボタンが押し下げられると、ユーザインタフェース部５０１は、画像表示装置接続部５０４に画像送信要求を入力する（ステップＳ２３２８）。画像表示装置接続部５０４は、ユーザインタフェース部５０１から画像送信要求が入力されると、表示データ作成部５０６から画像情報を取得する（ステップＳ２３３０）。
【０１６０】
画像表示装置接続部５０４は、通信制御部５０５に、画像送信要求を入力する（ステップＳ２３３２）。通信制御部５０５は、画像表示装置６に画像送信要求を送信する（ステップＳ２３３４）。
【０１６１】
情報処理装置５によって送信された画像送信要求は、画像表示装置６の通信制御部６０５に入力される。通信制御部６０５は、要求管理部６０２に画像送信要求を入力する（ステップＳ２３３６）。要求管理部６０２は、通信制御部６０５によって入力された画像送信要求を受け付けると、画像情報管理部６０６に画像表示要求を行う（ステップＳ２３３８）。画像情報管理部６０６は、要求管理部６０２によって入力された画像表示要求にしたがって、画像表示部６０４に画像情報を入力する（ステップＳ２３４０）。
【０１６２】
図２７は、画像情報表示システムの動作の一実施例（その３）を示す。
【０１６３】
図２７に示す例では、画像表示装置６は、画像情報の取得を拒否ように設定されている画像を表示している。このため、該画像表示装置６に画像を送信している情報処理装置以外の情報処理装置から、該画像表示装置６によって表示されている画像情報を要求しても、取得できない。
【０１６４】
図２７において、第1のユーザは画像情報の取得を拒否するように設定されている画像を送信する情報処理装置５のユーザである。第２のユーザは、画像表示装置６の検索を行うユーザである。図２７では、１台の情報処理装置５が示されているが、第１のユーザの情報処理装置と、第２のユーザの情報処理装置は異なる。
【０１６５】
ユーザインタフェース部５０１は、画像取得拒否設定要求を第１のユーザから受けつける（ステップＳ２７０２）。第１のユーザからの画像取得拒否設定要求を受け付けた後、ユーザインタフェース部５０１は、画像表示装置接続要求を第１のユーザから受けつける（ステップＳ２７０４）。
【０１６６】
ステップＳ２７０４の後の処理は、図２２のステップＳ２２０８−Ｓ２２１４を適用できる。ここで、ステップＳ２２１４において、第１のユーザの情報処理装置５の通信制御部５０５は、画像表示データとともに画像取得拒否設定要求を画像表示装置６に送信する。第１のユーザの情報処理装置５によって送信された画像表示データ、及び画像取得拒否設定要求は画像表示装置６の要求管理部６０２に入力される。要求管理部６０２は、該画像表示データを取得できないように管理する。
【０１６７】
第２のユーザの情報処理装置５は、画像表示装置６に接続した後、画像表示装置検索部５０２は、画像情報取得要求を通信制御部５０５に入力する（ステップＳ２７０６）。画像情報取得要求には、取得する画像サイズの情報が含まれる。
【０１６８】
通信制御部５０５は、画像表示装置検索部５０２によって入力される画像情報取得要求を画像表示装置６に送信する（ステップＳ２７０８）。
【０１６９】
情報処理装置５によって送信された画像情報取得要求は、画像表示装置６の通信制御部６０５に入力される。通信制御部６０５は、画像情報取得要求を要求管理部６０２に入力する（ステップＳ２７１０）。
【０１７０】
要求管理部６０２は、通信制御部６０５によって入力される画像情報取得要求を受け付ける。ここで、第２のユーザの情報処理装置５によって要求された画像情報は、取得が拒否されているものに該当するため、要求された画像情報を取得することができないため、付加情報のみを取得する。
【０１７１】
要求管理部６０２は、通信制御部６０５に付加情報を付帯した画像情報取得応答を入力する（ステップＳ２７１２）。
【０１７２】
通信制御部６０５は、要求管理部６０２によって入力された画像情報取得応答を第２のユーザの情報処理装置５に送信する（ステップＳ２７１４）。
【０１７３】
画像表示装置６によって送信された画像情報取得応答は、第２のユーザの情報処理装置５の通信制御部５０５に入力される。通信制御部５０５は、画像情報取得応答を画像表示装置検索部５０２に入力する（ステップＳ２７１６）。画像表示装置検索部５０２は、通信制御部５０５によって画像情報取得応答が入力されるとユーザインタフェース部５０１に検索終了通知を行う（ステップＳ２７１８）。ユーザインタフェース部５０１は、画像表示装置検索部５０２によって検索終了通知が入力されると、画像表示装置リストの表示を更新する（ステップＳ２７２０）。画像表示装置リストには、識別情報が表示され、画像情報は表示されない。
【０１７４】
図２８は、画像情報表示システムの動作の一実施例（その４）を示す。
【０１７５】
図２８に示す例では、画像表示装置６は、外部記憶装置７に記憶されている画像を表示している。この画像は、画像情報の取得を拒否するように設定されている。このため、情報処理装置５から、該画像表示装置６によって表示されている画像情報を要求しても、取得できない。
【０１７６】
図２８において、第1のユーザは外部記憶装置７に記憶されている画像ファイルを表示させる。第２のユーザは画像表示装置６の検索を行うユーザである。
【０１７７】
画像表示装置６のユーザインタフェース部６０１は、第１のユーザから画像ファイル一覧表示要求を受け付ける（ステップＳ２８０２）。ユーザインタフェース部６０１は、第１のユーザによる画像ファイル一覧要求を受け付けると、ファイル管理部６０７にファイル情報の読み出しを指示し、ファイル管理部６０７によって読み出されたファイル情報を取得する（ステップＳ２８０４）。
【０１７８】
ユーザインタフェース部６０１は、ファイル管理部６０７から取得したファイル情報に基づいて、画像ファイルリストの表示を更新する（ステップＳ２８０６）。ユーザインタフェース部６０１は、第１のユーザから画像選択要求を受け付ける（ステップＳ２８０８）。ユーザインタフェース部６０１は、第１のユーザから画像取得拒否設定を受け付ける（ステップＳ２８１０）。ユーザインタフェース部６０１は、第１のユーザから画像表示要求を受け付ける（ステップＳ２８１２）。
【０１７９】
ユーザインタフェース部６０１は、第１のユーザからの画像表示要求に応じて、要求管理部６０２に画像表示要求を行う（ステップＳ２８１４）。ここで、画像表示要求では、画像選択要求によって選択された画像が指定されるとともに、該画像情報の取得ができないように設定される。要求管理部６０２は、該画像の画像データを取得できないように管理する。要求管理部６０２は、ユーザインタフェース部６０１によって入力される画像表示要求に応じて、ファイル管理部６０７に画像表示要求によって指定される画像ファイルをオープンするように指示する（ステップＳ２８１６）。
【０１８０】
要求管理部６０２は、画像情報管理部６０６に画像情報を表示するように指示する（ステップＳ２８１８）。画像情報管理部６０６は、画像表示部６０４に画像の表示を開始するように指示する（ステップＳ２８２０）。ステップＳ２８２０より後の処理は、図２７のステップＳ２７０６−Ｓ２７２０を適用できる。
【０１８１】
図２９は、画像情報表示システムの動作の一実施例（その５）を示す。
【０１８２】
図２９に示す例では、画像表示装置６に対して画像情報の取得ができないように設定される。このため、情報処理装置５が、画像表示装置６に画像情報を要求しても取得できない。
【０１８３】
図２９において、第1のユーザは、画像表示装置６に対して画像情報の取得ができないように設定するユーザである。第２のユーザは、画像表示装置６に画像を送信する情報処理装置５のユーザである。第３のユーザは、画像表示装置６の検索を行うユーザである。図２９では、１台の情報処理装置５が示されているが、第１のユーザの情報処理装置と、第２のユーザの情報処理装置と、第３のユーザの情報処理装置とは異なる。
【０１８４】
画像表示装置６のユーザインタフェース部６０１は、第１のユーザから画像取得拒否設定要求を受け付ける（ステップＳ２９０２）。ユーザインタフェース部６０１は、第１のユーザによる画像取得拒否設定要求を受け付けると、機器情報管理部６０３に画像取得可否設定の設定を画像取得拒否に変更する（ステップＳ２９０４）。
【０１８５】
ステップＳ２９０４の処理の後、図２２のステップＳ２２０６−Ｓ２２１４の処理が行われる。つまり、第２のユーザによって画像表示装置６が選択され、情報処理装置５から画像表示データが該画像表示装置６に送信される。画像表示装置６は、情報処理装置５によって送信される画像データを処理することによって表示する。ここで、情報処理装置５から画像表示装置６に送信される画像データに対して、画像取得拒否設定がされていてもされていなくてもよい。
【０１８６】
第３のユーザの情報処理装置５が、画像表示装置６に接続される。情報処理装置５の画像表示装置検索部５０２は、画像情報取得要求を通信制御部５０５に入力する（ステップＳ２９０６）。画像情報取得要求には、取得する画像サイズの情報が含まれる。通信制御部５０５は、画像表示装置検索部５０２によって入力される画像情報取得要求を画像表示装置６に送信する（ステップＳ２９０８）。
【０１８７】
情報処理装置５によって送信された画像情報取得要求は、画像表示装置６の通信制御部６０５に入力される。通信制御部６０５は、画像情報取得要求を要求管理部６０２に入力する（ステップＳ２９１０）。要求管理部６０２は、通信制御部６０５によって入力される画像情報取得要求を受け付ける。要求管理部６０２は、機器情報管理部６０３に画像情報の取得を要求するが、画像情報の取得が拒否されているため、要求管理部６０２は、付加情報を取得する（ステップＳ２９１２）。
【０１８８】
要求管理部６０２は、通信制御部６０５に付加情報を付帯した画像情報取得応答を入力する（ステップＳ２９１４）。通信制御部６０５は、要求管理部６０２によって入力された画像情報取得応答を情報処理装置５に送信する（ステップＳ２９１６）。
【０１８９】
画像表示装置６によって送信された画像情報取得応答は、情報処理装置５の通信制御部５０５に入力される。通信制御部５０５は、画像情報取得応答を画像表示装置検索部５０２に入力する（ステップＳ２９１８）。画像表示装置検索部５０２は、通信制御部５０５によって画像情報取得応答が入力されるとユーザインタフェース部５０１に検索終了通知を行う（ステップＳ２９２０）。ユーザインタフェース部５０１は、画像表示装置検索部５０２によって検索終了通知が入力されると、画像表示装置リストの表示を更新する（ステップＳ２９２２）。画像表示装置リストには、識別情報が表示され、画像情報は表示されない。
【０１９０】
図３０は、画像情報表示システムの動作の一実施例（その６）を示す。
【０１９１】
図３０に示される例では、画像取得要求を行った情報処理装置５に対して、画像表示装置６は定期的に表示している画像を送信する。これによって、ユーザは画像処理装置６に表示されている画像が更新された場合でも、その更新された画像を参照できる。
【０１９２】
情報処理装置５が、画像表示装置６に接続される。情報処理装置５の画像表示装置検索部５０２は、画像情報取得要求を通信制御部５０５に入力する（ステップＳ３００２）。
【０１９３】
通信制御部５０５は、画像表示装置検索部５０２によって入力される画像情報取得要求を画像表示装置６に送信する（ステップＳ３００４）。
【０１９４】
情報処理装置５によって送信された画像情報取得要求は、画像表示装置６の通信制御部６０５に入力される。通信制御部６０５は、画像情報取得要求を要求管理部６０２に入力する（ステップＳ３００６）。要求管理部６０２は、通信制御部６０５によって入力される画像情報取得要求を受け付ける。要求管理部６０２は、画像情報管理部６０６に表示している画像情報の取得を要求し、取得する（ステップＳ３００８）。
【０１９５】
要求管理部６０２は、通信制御部６０５に画像情報を付帯した画像情報取得応答を入力する（ステップＳ３０１０）。通信制御部６０５は、要求管理部６０２によって入力された画像情報取得応答を情報処理装置５に送信する（ステップＳ３０１２）。
【０１９６】
画像表示装置６によって送信された画像情報取得応答は、情報処理装置５の通信制御部５０５に入力される。通信制御部５０５は、画像情報取得応答を画像表示装置検索部５０２に入力する（ステップＳ３０１４）。画像表示装置検索部５０２は、通信制御部５０５によって画像情報取得応答が入力されるとユーザインタフェース部５０１に検索終了通知を行う（ステップＳ３０１６）。ユーザインタフェース部５０１は、画像表示装置検索部５０２によって検索終了通知が入力されると、画像表示装置リストの表示を更新する（ステップＳ３０１８）。
【０１９７】
画像表示装置６の要求管理部６０２は、予め設定される画像更新時間が経過したことを検知する（ステップＳ３０２０）。要求管理部６０２は、画像情報管理部６０６に表示している画像情報の取得を要求し、取得する（ステップＳ３０２２）。要求管理部６０２は、通信制御部６０５に画像情報を付帯した画像情報更新通知を入力する（ステップＳ３０２４）。通信制御部６０５は、要求管理部６０２によって入力された画像情報更新通知を情報処理装置５に送信する（ステップＳ３０２６）。
【０１９８】
画像表示装置６によって送信された画像情報更新通知は、情報処理装置５の通信制御部５０５に入力される。通信制御部５０５は、画像情報更新通知を画像表示装置検索部５０２に入力する（ステップＳ３０２８）。画像表示装置検索部５０２は、通信制御部５０５によって画像情報更新通知が入力されるとユーザインタフェース部５０１に検索結果更新通知を行う（ステップＳ３０３０）。ユーザインタフェース部５０１は、画像表示装置検索部５０２によって検索結果更新通知が入力されると、画像表示装置リストの表示を更新する（ステップＳ３０３２）。画像情報更新通知は、画像表示装置６で画像の表示が終了した場合や、情報処理装置５から画像情報更新通知の停止が要求された場合などに終了する。
【０１９９】
図３１は、画像情報表示システムの動作の一実施例（その７）を示す。
【０２００】
図３１に示される例では、画像取得要求を行った情報処理装置５に対して、画像表示装置６は表示している画像が変化したことを検知した場合に、その変化した画像の画像情報を送信する。これによって、ユーザは画像処理装置６に表示されている画像が変化した場合でも、その変化した画像を参照できる。
【０２０１】
図３０のステップＳ３００２−Ｓ３０１８が実行された後に、画像表示装置６の画像情報管理部６０６は、表示している画像が変化したことを検知する（ステップＳ３１０２）。画像情報管理部６０６は、表示している画像が変化したことを検知すると、要求管理部６０２に画像情報更新通知を入力する（ステップＳ３１０４）。画像情報管理部６０６は、表示している画像がわずかでも変化していれば画像情報更新通知を入力することができるし、画像同士の差異の大きさを数値化して、その差異の大きさを表す数値が一定の閾値を超えた場合に通知することもできる。要求管理部６０２は、通信制御部６０５に画像情報更新通知を入力する（ステップＳ３１０６）。
【０２０２】
ステップＳ３１０６の後の処理は、図３１のステップＳ３０２６−Ｓ３０３２を適用できる。
【０２０３】
従来のネットワーク接続型画像投影装置などの画像表示装置では、接続対象の画像表示装置を特定するために、ＩＰアドレス、プロジェクタ名などの識別情報を利用している。このため、同一ネットワーク上に複数の画像表示装置が接続されている環境では、画像表示装置の表示画面に自らの識別情報を表示させて確認しなければ、間違った画像表示装置に表示してしまうおそれあった。特に、すでに他の情報処理装置から送られた画像情報や、ＵＳＢメモリ等から読み出した画像情報を表示中の画像表示装置に対し、別の情報処理装置から接続したい場合は、一度前の画像情報の表示を終了しなければ、表示画面に識別情報を表示できず、目的の画像表示装置かどうか特定できなかった。
【０２０４】
本実施例によれば、接続情報のリストに基づいて検出した画像表示装置から、その画像表示装置が現在表示している画像情報を取得し、情報処理装置に画像表示装置の付加情報として表示する。利用者は、情報処理装置に表示された画像情報と、画像表示装置が表示している画像情報を比較し、同じ画像のものを選ぶことで、目的の画像表示装置を特定できる。これによって、接続情報のリストに基づいて検出された画像表示装置の中から、接続対象の画像表示装置を指定する際に、対象の画像表示装置が既に画像情報を表示中であっても、接続対象画像表示装置の指定を容易にできる。
【０２０５】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体をいう。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０２０６】
以上、本発明の好適な実施の形態により本発明を説明したが、画像投影装置などの画像表示装置が接続情報のリスト及び接続情報のリストを管理する機能を備えてもよい。上述した実施例において、情報処理装置は端末の一例であり、画像投影装置は画像表示装置の一例であり、記憶装置は第１の記憶手段及び第２の記憶手段の一例であり、接続情報リスト管理部は更新手段及び判断手段の一例であり、画像投影装置検索部及び画像表示装置検索部は検索手段及び取得手段の一例である。
【０２０７】
また、画像投影装置接続部及び画像表示装置接続部は接続手段の一例であり、画像表示装置検索部は画像情報取得手段の一例であり、ユーザインタフェース部は表示手段の一例であり、要求管理部は設定手段の一例である。
【０２０８】
ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０２０９】
１（１ａ、１ｂ、１ｃ）      情報処理装置
２      ネットワーク
３（３ａ、３ｂ）      画像投影装置
５（５ａ、５ｂ、５ｃ）      情報処理装置
６（６ａ、６ｂ、６ｃ、６ｄ）      画像表示装置
７      外部記憶装置
１０１      ユーザインタフェース部
１０２      画像投影装置検索部
１０３      接続情報リスト管理部
１０４      画像投影装置接続部
１０５      通信制御部
１０６      投影データ作成部
１１１      接続可能機種記憶部
５０１      ユーザインタフェース部
５０２      画像表示装置検索部
５０３      接続情報リスト管理部
５０４      画像表示装置接続部
５０５      通信制御部
５０６      表示データ作成部
６０１      ユーザインタフェース部
６０２      要求管理部
６０３      機器情報管理部
６０４      画像表示部
６０５      通信制御部
６０６      画像情報管理部
６０７      ファイル管理部
【先行技術文献】
【特許文献】
【０２１０】
【特許文献１】特開２００９−５３７３３号公報
【図１】
2015164031.tif 000003
【図２】
2015164031.tif 000004
【図３】
2015164031.tif 000005
【図４】
2015164031.tif 000006
【図５】
2015164031.tif 000007
【図６】
2015164031.tif 000008
【図７】
2015164031.tif 000009
【図８】
2015164031.tif 000010
【図９】
2015164031.tif 000011
【図１０】
2015164031.tif 000012
【図１１】
2015164031.tif 000013
【図１２】
2015164031.tif 000014
【図１３】
2015164031.tif 000015
【図１４】
2015164031.tif 000016
【図１５】
2015164031.tif 000017
【図１６】
2015164031.tif 000018
【図１７】
2015164031.tif 000019
【図１８】
2015164031.tif 000020
【図１９】
2015164031.tif 000021
【図２０】
2015164031.tif 000022
【図２１】
2015164031.tif 000023
【図２２】
2015164031.tif 000024
【図２３】
2015164031.tif 000025
【図２４】
2015164031.tif 000026
【図２５】
2015164031.tif 000027
【図２６】
2015164031.tif 000028
【図２７】
2015164031.tif 000029
【図２８】
2015164031.tif 000030
【図２９】
2015164031.tif 000031
【図３０】
2015164031.tif 000032
【図３１】
2015164031.tif 000033